(57)【要約】【課題】操作ボタンなどの操作部を操作することで、自動的に蓋体が開いて替芯を取り出すことができる替芯ケースを提供すること。【解決手段】開口部１１が形成され替芯が収容可能なケース本体１０に対して、スライド可能に支持されたスライダー２１を介してカバー部材２０が前記開口部１１を開閉可能となるように配置されている。前記スライダー２１はスプリング４０により突出方向に付勢されており、スライダーがケース本体内に収容された状態において、前記スプリングによるスライダーの突出動作を阻止してロック状態にするロック機構が具備されている。  ケース本体１０の側壁に配置された押しボタン３１を操作することで、ロック機構のロック状態を解除することができ、前記スプリングの付勢力によりスライダー２１を介してカバー部材２０を解放することができる。【選択図】図５
2012091432.tif 000002
【特許請求の範囲】
【請求項１】
一部に開口部が形成され、複数本の替芯が収容可能な空間部を備えたケース本体と、
前記ケース本体内に収容された状態とケース本体から突出した状態との間で、前記ケース本体に対してスライド可能に支持されたスライダーと、
前記スライダーの突出側端部に形成され、前記スライダーがケース本体内に収容された状態において前記開口部を閉塞し、前記スライダーがケース本体から突出した状態において前記開口部を解放するカバー部材と、
前記ケース本体内に収容され、前記スライダーをケース本体から突出した状態に付勢するスプリングと、
前記スライダーがケース本体内に収容された状態において、前記スプリングによるスライダーの突出動作を阻止してロック状態にするロック機構と、
前記ケース本体の一部に配置され、前記ロック機構のロック状態を解除することで、前記スライダーを前記スプリングの付勢力により突出させた状態に解放する操作部と、
を具備したことを特徴とする替芯ケース。
【請求項２】
前記ロック機構は、前記スライダーの一部に形成された係止部と、前記操作部の操作に連動して移動する突起部とにより構成され、前記操作部の操作によって前記スライダーに形成された係止部に対する前記突起部の係合を解除するように構成されていることを特徴とする請求項１に記載された替芯ケース。
【請求項３】
前記操作部は、ケース本体の一部に配置された押しボタンにより構成されていることを特徴とする請求項２に記載された替芯ケース。
【請求項４】
前記押しボタンは、Ｕ字状に成形されて両脚部の間でばねの復元性を持たせたＵ字状部材の一方の脚部に前記突起部と共に一体に成形され、前記押しボタンの先端部が前記ケース本体に貫通して形成されたボタン露出孔よりケースの外側に向かって配置され、前記Ｕ字状部材が前記スライダーの中央部を貫通するようにして形成されたＵ字状部材の挿入スリット内に収容されていることを特徴とする請求項３に記載された替芯ケース。
【請求項５】
前記スライダーは、ケース本体内に形成されたスライダー収容室内にスライド可能に収容され、前記スライダーの一部に弾性部材が取り付けられると共に、前記スライダーのスライダー収容室内の移動により、前記弾性部材がスライダー収容室の壁面に摺動するように構成されていることを特徴とする請求項１ないし請求項４のいずれか１項に記載された替芯ケース。
【請求項６】
前記弾性部材がＯリングにより構成され、前記Ｏリングが前記スライダーの中央部を貫通するように形成されたＯリング収容スリット内に収容され、当該スリットから突出する前記Ｏリングの両端部が、前記スライダー収容室の壁面に摺動するように構成されていることを特徴とする請求項５に記載された替芯ケース。
【請求項７】
前記Ｏリングが、シリコンゴムにより成形されていることを特徴とする請求項６に記載された替芯ケース。
【発明の詳細な説明】
【技術分野】
【０００１】
この発明は、シャープペンシル用の替芯を収容する替芯ケースに関する。
【背景技術】
【０００２】
シャープペンシル用の替芯ケースは、一般的に複数本の替芯を収容し長手方向の上端部に開口部が形成された偏平な箱型形状のケース本体と、前記開口部にスライド可能に取り付けられて、当該開口部を開閉する蓋体とにより構成されている。
【０００３】
例えば特許文献１には、ケース本体の長手方向の上端部に形成された開口部に沿ってスライド動作が可能な板状の蓋体が備えられた替芯ケースが開示されている。
すなわち、前記特許文献１に開示された替芯ケースにおいては、前記蓋体はケース本体の長手方向に対して直交する方向にスライドするように構成されており、ケース本体の開口部に内側に突出する凸部が形成され、前記蓋体の側面にはスライド方向に形成されたスリット状の溝部が形成されている。
【０００４】
そして、蓋体の側面に形成された前記スリット状の溝部に、ケース本体側に形成された前記凸部を嵌め込むようにして両者を組み合わせることで、前記したように蓋体がケース本体の長手方向に対して直交する方向にスライドするように構成されている。
【先行技術文献】
【特許文献】
【０００５】
【特許文献１】特開２０１０−３０１３６号公報
【発明の概要】
【発明が解決しようとする課題】
【０００６】
ところで、前記特許文献１に開示の替芯ケースの構成を含めて、この種の替芯ケースの大多数は、ケース本体の長手方向の上端部に形成された開口部に沿って、蓋体をスライド可能に取り付けたものが提供されている。
したがって、蓋体の開閉は指先で蓋体をスライド動作させるものであり、機能上において格別な差別化を図ることは難しい。
【０００７】
それ故、この種の替芯ケースにおいては、人目を引くような特異な構成ならびに蓋体の開閉機能等を採用することが重要であり、これが店頭等においてユーザーが製品を選択する上で大きなウエイトを占めることになる。
【０００８】
この発明は、従来の替芯ケースにおける前記した一般的な蓋体のスライド動作とは異なり、例えば操作ボタンを操作することで、自動的に蓋体が開いて替芯を取り出すことができる高級感を有しかつ人目を引くことができる替芯ケースを提供することを課題とするものである。
【課題を解決するための手段】
【０００９】
前記した課題を解決するためになされたこの発明にかかる替芯ケースは、一部に開口部が形成され、複数本の替芯が収容可能な空間部を備えたケース本体と、前記ケース本体内に収容された状態とケース本体から突出した状態との間で、前記ケース本体に対してスライド可能に支持されたスライダーと、前記スライダーの突出側端部に形成され、前記スライダーがケース本体内に収容された状態において前記開口部を閉塞し、前記スライダーがケース本体から突出した状態において前記開口部を解放するカバー部材と、前記ケース本体内に収容され、前記スライダーをケース本体から突出した状態に付勢するスプリングと、前記スライダーがケース本体内に収容された状態において、前記スプリングによるスライダーの突出動作を阻止してロック状態にするロック機構と、前記ケース本体の一部に配置され、前記ロック機構のロック状態を解除することで、前記スライダーを前記スプリングの付勢力により突出させた状態に解放する操作部とを具備した点に特徴を有する。
【００１０】
この場合、前記ロック機構は、好ましくは前記スライダーの一部に形成された係止部と、前記操作部の操作に連動して移動する突起部とにより構成され、前記操作部の操作によって前記スライダーに形成された係止部に対する前記突起部の係合を解除するように構成される。また、前記操作部は、ケース本体の一部に配置された押しボタンにより構成される。
【００１１】
この場合、前記押しボタンは、Ｕ字状に成形されて両脚部の間でばねの復元性を持たせたＵ字状部材の一方の脚部に前記突起部と共に一体に成形され、前記押しボタンの先端部が前記ケース本体に貫通して形成されたボタン露出孔よりケースの外側に向かって配置され、前記Ｕ字状部材が前記スライダーの中央部を貫通するようにして形成されたＵ字状部材の挿入スリット内に収容された構成を好適に採用することができる。
【００１２】
一方、前記スライダーは、ケース本体内に形成されたスライダー収容室内にスライド可能に収容され、前記スライダーの一部に弾性部材が取り付けられると共に、前記スライダーのスライダー収容室内の移動により、前記弾性部材がスライダー収容室の壁面に摺動するように構成されていることが望ましい。
【００１３】
そして、好ましい形態においては、前記弾性部材がＯリングにより構成され、前記Ｏリングが前記スライダーの中央部を貫通するように形成されたＯリング収容スリット内に収容され、当該スリットから突出する前記Ｏリングの両端部が、前記スライダー収容室の壁面に摺動するように構成される。この場合、前記Ｏリングが、シリコンゴムにより成形されていることが望ましい。
【発明の効果】
【００１４】
前記した構成の替芯ケースによると、スライダーの突出側端部に、ケース本体に形成された開口部を開閉するカバー部材が形成され、ケース本体の一部に配置された押しボタン等による操作部の操作により、スプリングの付勢力によりスライダーを突出させて、カバー部材による前記開口部の閉塞を解くことができる。これにより、必要に応じて前記スプリングの付勢力を利用して自動的に開口部を解放することが可能となる。
したがって、ケース本体の開口部を覆う蓋体を指先でスライド動作させて替芯を取り出す従来のものの構成に比較して、高級感を有しかつ人目を引くことができる替芯ケースを提供することができる。
【００１５】
また、前記スライダーは、ケース本体内に形成されたスライダー収容室内にスライド可能に収容され、スライダーの一部に取り付けられた弾性部材が、スライダー収容室の壁面に摺動するように構成されているので、前記押しボタン等による操作部の操作により、ゆっくりとした動きを伴って前記開口部を解放することができる。
よって、ケース開口部の解放動作が円滑にかつ趣のある動作を伴ってなされる特異な替芯ケースを提供することができる。
【図面の簡単な説明】
【００１６】
【図１】この発明に係る替芯ケースの外観構成を示した斜視図である。
【図２】図１に示す替芯ケースにおいてカバー部材を解放した状態の斜視図である。
【図３】尾栓体を取り外した状態のケース本体の正面図および断面図である。
【図４】図１に示す替芯ケースを互いに直交する方向で切断した状態を示す縦断面図である。
【図５】図２に示すカバー部材を解放した状態における替芯ケースを互いに直交する方向で切断した状態を示す縦断面図である。
【図６】スライダーとカバー部材の構成を示した正面図および断面図である。
【図７】操作部を構成するＵ字状部材を拡大して示した正面図および側面図である。
【図８】この発明に係る替芯ケースの他の実施の形態を示した斜視図である。
【図９】図８に示す替芯ケースにおいてカバー部材を解放した状態の斜視図である。
【図１０】図８に示す替芯ケースにおいてカバー部材を解放した状態の縦断面図である。
【発明を実施するための形態】
【００１７】
以下、この発明にかかる替芯ケースの第１の実施の形態について、図１〜７に基づいて説明する。
図１および図２に示したようにこの発明にかかる替芯ケース１は、その外観が偏平な直方体状に形成されたケース本体１０と、このケース本体１０の長手方向の端部（上端部）に形成された開口部１１を開閉するカバー部材２０が備えられている。
【００１８】
図３は、ケース本体１０に取り付けられた尾栓体１２を取り外した状態のケース本体１０を示したものであり、（ａ）は正面図、（ｂ）は（ａ）におけるＡ−Ａ線より矢印方向に視た状態の断面図、（ｃ）は（ｂ）におけるＢ−Ｂ線より矢印方向に視た状態の断面図である。
【００１９】
図３（ａ）に示したようにケース本体１０の上端部近傍には、後述する操作部として機能する押しボタン３１の先端部が突出されるボタン露出孔１３が形成されている。
また、ケース本体１０内には、図３（ｂ），（ｃ）に示されたとおり、替芯が収容される空間部１４と、この空間部１４に隣接して後述するスライダー２１をスライド可能に収容するスライダー収容室１５が形成されている。
なお、前記スライダー収容室１５は、天面側と底面側とにおける円筒状の内径が異なり、底面側がわずかに大径になされている。
【００２０】
そして、スライダー収容室１５の上下方向のほぼ中央位置において両者の内周面をつなぐテーパー面１６が形成されており、このテーパー面１６がスライダー収容室１５の軸芯に対して５度程度の傾斜面になされている。
【００２１】
図４（ａ），（ｂ）および図５（ａ），（ｂ）は、後述する円柱状に形成されたスライダー２１の軸芯が通る位置において切断した状態の替芯ケース１の断面図であり、このスライダー２１とこれに一体成形されたカバー部材２０の形態が図６に示されている。
なお、図６（ａ）はスライダーとカバー部材の一体成型品の正面図であり、図６（ｂ）は図６（ａ）におけるＣ−Ｃ線から矢印方向に視た状態の断面図である。
【００２２】
図６に示すように、この実施の形態においてはスライダー２１とカバー部材２０とは、前記したとおり樹脂素材により一体成形されている。そして、スライダー２１は前記したとおり円柱状に成形され、このスライダー２１の上端部に、前記カバー部材２０がＬ字状を形成するように一体成形されている。
【００２３】
前記スライダー２１には、後述するＵ字状部材３０が挿入されるスリット２２と、その軸方向の下部に後述する弾性部材としてのＯリング５０が挿入されるスリット２３が備えられている。さらに前記したＵ字状部材が挿入されるスリット２２を跨ぐようにして連結されて係止部２４が形成されている。
【００２４】
図７は、前記したＵ字状部材を拡大して示したものであり、このＵ字状部材３０は、樹脂素材をＵ字状に成形することにより中央の屈曲部を介した両脚部の間で、ばねの復元性を持たせている。
そして、Ｕ字状部材３０を構成する一方の脚部の先端部には、前記した操作部を構成する押しボタン３１が外向きに一体成形されており、同脚部における中央の屈曲部寄りには、さらに突起部３２が外向きに一体成形されている。
なお、前記突起部３２における押しボタン３１の形成側が、前記脚部に対して直角を形成するようにして外側に立ち上がり、突起部３２における中央の屈曲部側が、前記脚部に対して鈍角を形成するように傾斜面になされている。
【００２５】
斯くして、図４および図５は、前記した各部材を利用して替芯ケース１を組み立てた場合の替芯ケースの内部構成を示した断面図である。
替芯ケース１を組み立てる場合には、まず、前記した尾栓体１２が取り付けられた状態のケース本体１０における前記スライダー収容室１５内に、コイル状のスプリング４０を挿入する。
【００２６】
続いて、前記スライダー２１に形成されたスリット２３内にＯリング５０を挿入し、さらにスライダー２１に形成されたスリット２２内に前記したＵ字状部材３０を挿入する。
この場合、前記Ｕ字状部材３０の中央の屈曲部が、前記カバー部材２０側に向くように、かつＵ字状部材３０の外向きの突起部３２が、スライダー２１に形成された係止部２４に向くようにしてスリット２２内に挿入する。
【００２７】
前記した状態で、前記スライダー２１の下端部を、前記ケース本体１０のスライダー収容室１５内に、前記スプリング４０の伸張力に抗して押し込む。
この場合、前記Ｕ字状部材３０の両脚部を狭めるようにして、前記押しボタン３１がスライダー収容室１５内に入り込むようにする。
この状態のまま、前記スライダー２１をスライダー収容室１５内に押し込むことにより、図４に示した状態の替芯ケース１が組み立てられる。
【００２８】
すなわち、図４（ｂ）に示されたように、前記Ｕ字状部材３０に形成された押しボタン３１が、ケース本体１０に形成されたボタン露出孔１３に入り込み、押しボタン３１の先端部がケース本体１０の外側に若干突出した状態になされる。
また、図４（ｂ）に示されたように、Ｕ字状部材３０に形成された前記突起部３２が、スライダー２１に形成された係止部２４を乗り越え、カバー部材２０が開口部１１を閉塞したロック状態になされる。
すなわち、Ｕ字状部材３０に形成された前記突起部３２とスライダー２１に形成された係止部２４とは、ロック機構を構成している。
【００２９】
図４に示すように、ロック状態になされてカバー部材２０がケース本体１０の開口部１１を閉塞した状態においては、カバー部材２０の外形形状がケース本体１０の開口部１１の外側形状に一致するように、両者の寸棒関係が定められている。
これにより、替芯ケース１の全体の外観構成は、図１に示すように偏平な直方体状になされる。
【００３０】
ここで、図１および図４に示す前記したロック状態において、ケース本体１０の側壁に配置された操作部としての前記押しボタン３１を押圧操作すると、前記Ｕ字状部材３０が変形して押しボタン３１がケース内に後退し、これに伴いＵ字状部材３０に形成された前記突起部３２から、スライダー２１に形成された係止部２４の係合が外れる。
【００３１】
これにより、スライダー２１は前記したスプリング４０の伸張力により、図２および図５に示すようにケース本体１０から突出し、カバー部材２０はケース本体１０の開口部１１を解放する。
この時、スライダー２１に形成されたスリット２３内には、弾性部材としてのＯリング５０が挿入されており、前記スリット２３から突出する前記Ｏリング５０の両端部が、前記スライダー収容室１５の壁面に摺動するように作用する。
【００３２】
また、前記したとおりスライダー収容室１５には、底面側から天面側に向かって縮径するテーパー面１６が形成されているので、前記Ｏリング５０はテーパー面１６に沿って移動する際に、若干変形しつつスライダー収容室１５内を上昇する。これによりカバー部材２０がケース本体１０の開口部１１をゆっくりとした動きを伴って解放するように動作する。
【００３３】
このような動作の信頼性を高めるには、前記Ｏリング５０にシリコンゴム、特にオイルブリード性のシリコンゴムを用いることが望ましい。
前記したシリコンゴムは、耐熱性、耐候性、耐久性等に優れており、またオイルブリード性のシリコンゴムを用いた場合には、シリコンオイルが表面にブリードし、スライダー２１の摺動動作をより円滑に行わせることが可能となる。
さらに組み立て時においても、前記オイルブリードの作用により、Ｏリングの摺動部に潤滑油を別に塗布する工程も省略することができる。
【００３４】
図２および図５に示したように、カバー部材２０がケース本体１０の開口部１１を解放した状態において、替芯ケース１をほぼ水平状態に傾けると、空間部１４に収容された替芯が開口部１１から出て、替芯の先端部がカバー部材２０に当たった状態になされる。この状態で、指先等で必要な量の替芯を取り出すことができる。
【００３５】
斯くして、ケース本体１０の開口部１１をカバー部材２０によって閉じる場合には、カバー部材２０を前記開口部１１に向かって押し込むことで、スライダー２１は前記収容室１５内に入り込み、スライダー２１に形成された係止部２４が、Ｕ字状部材３０に形成された前記突起部３２を乗り越え、これにより図１および図４に示したロック状態になされる。
【００３６】
図８〜図１０は、この発明にかかる替芯ケースの第２の実施の形態を示したものである。この図８〜図１０においては、すでに説明した図１〜７に示す各部に相当する部分を同一符号で示しており、したがってその詳細な説明は省略する。
なお、この第２の実施の形態においては、ケース本体が中央で縦割りになされた２部品により構成されている。
【００３７】
すなわち、ケース本体１０は図８に示すように、押しボタン３１が配置される側の部材１０Ａと、底板が一体に形成された部材１０Ｂとにより構成されている。そして、部材１０Ａに形成された一対の縦方向の凸条部１０ａが、部材１０Ｂに形成された一対の縦方向の溝部１０ｂにそれぞれ嵌まり込んで、外観が偏平な直方体状のケース本体１０が形成されている。
【００３８】
加えて、この実施の形態においては、図９および図１０に示すようにカバー部材２０と一体にプレート２６が成形されており、このプレート２６はカバー部材２０の開閉動作に伴って、ケース本体１０を構成する一方の部材１０Ｂの内面に沿って摺動するように構成されている。
すなわち、プレート２６が部材１０Ｂの内面に沿って摺動することで、カバー部材２０およびスライダー２１がケース本体１０に対して回転するのを防止するように機能する。
【００３９】
以上説明したこの発明に係る替芯ケースの実施の形態によると、前記した発明の効果の欄、並びに発明を実施するための形態を説明する本欄において個々に記載した独自の作用効果を得ることができる。
【００４０】
また、以上説明した実施の形態においては、操作部として押しボタン３１が採用され、この押しボタン３１の押圧操作によりロック状態が外れてカバー部材２０が解放されるようになされているが、この押しボタン３１に代えて例えば、スライドノブなども採用することができる。
【００４１】
さらに前記した実施の形態においては、ロック機構がスライダー２１に形成された係止部２４と、Ｕ字状部材３０に形成された突起部３２の組み合わせにより構成されているが、ロック機構はこのような特定な構成に限られることはなく、他の同様の機能を果たす構成も採用し得る。
また、実施の形態においては、スライダー２１にＯリング５０を装着して、カバー部材２０の解放時の動きを制御するようにしているが、これもＯリングに限らず、円盤状のゴムやスポンジ体など他の弾性部材を採用することができる。
【符号の説明】
【００４２】
１      替芯ケース
１０    ケース本体
１１    開口部
１２    尾栓体
１３    ボタン露出孔
１４    替芯収容空間部
１５    スライダー収容室
１６    テーパー面
２０    カバー部材
２１    スライダー
２２    Ｕ字状部材挿入スリット
２３    Ｏリング挿入スリット
２４    係止部
３０    Ｕ字状部材
３１    押しボタン（操作部）
３２    突起部
４０    スプリング
５０    Ｏリング（弾性部材）
【図１】
2012091432.tif 000003
【図２】
2012091432.tif 000004
【図３】
2012091432.tif 000005
【図４】
2012091432.tif 000006
【図５】
2012091432.tif 000007
【図６】
2012091432.tif 000008
【図７】
2012091432.tif 000009
【図８】
2012091432.tif 000010
【図９】
2012091432.tif 000011
【図１０】
2012091432.tif 000012